(57)【要約】【課題】本発明は、周辺機への突入電流を適切に防止する画像形成装置に関する。【解決手段】画像形成装置１は、フィニッシャ等の周辺機１０の備えている専用の周辺機用の電源装置１１に、当該電源の出力端子に直列に接続された抵抗と、当該抵抗に並列に接続されたスイッチ素子と、を設け、周辺機１０が起動を開始するタイミングで、当該スイッチ素子をオフさせて当該抵抗を通して電源の供給を行わせ、所定時間経過後に当該スイッチ素子をオンさせている。したがって、電源供給開始時の周辺機用の電源装置１１から周辺機１０に突入電源が流れることを防止して、電源装置１１の過電流検知が働かないようにし、電源の出力電圧ドロップや画像形成装置１の誤動作を防止して、安定して動作させることができる。【選択図】          図１
2005148667.tif 000002
【特許請求の範囲】
【請求項１】
フィニッシャ等の周辺機が接続され、当該周辺機が専用の周辺機用電源装置を備えている画像形成装置において、前記周辺機用電源装置が、電源の出力部に直列に接続された抵抗と、当該抵抗に並列に接続されたスイッチ素子と、を備え、前記周辺機が起動を開始するタイミングで、前記スイッチ素子をオフさせて前記抵抗を通して電源の供給を行わせ、所定時間経過後に当該スイッチ素子をオンさせることを特徴とする画像形成装置。
【請求項２】
前記スイッチ素子は、トライアックであることを特徴とする請求項１記載の画像形成装置。
【請求項３】
前記スイッチ素子は、リレーであることを特徴とする請求項１記載の画像形成装置。
【発明の詳細な説明】
【技術分野】
【０００１】
本発明は、画像形成装置に関し、詳細には、周辺機への突入電流を適切に防止する画像形成装置に関する。
【背景技術】
【０００２】
従来、ファクシミリ装置、プリンタ、複写装置等の画像形成装置においては、画像形成装置と周辺機等のオプションに供給する電源を、一つの電源装置から供給しているものが多い。この場合、電源装置の仕様で、過電流特性は、画像形成装置と周辺機を合わせた突入電流値にマージンを加えた値が設定されており、周辺機のみの突入電流で電源が落ちることは少ない。
【０００３】
ところが、周辺機は、オプションであるため、画像形成装置と周辺機の電源がそれぞれ別電源装置から供給するものもあり、この場合、周辺機用の電源装置では、過電流特性として、周辺機のみの突入電流とマージンを加えた値が設定されるため、周辺機内のコンデンサの容量によっては、より大きな突入電流が流れ、電源が落ちてしまい、画像形成装置や周辺機が誤動作する恐れがある。
【０００４】
そして、従来、電源から制御回路を介して定着ヒータに電圧を印加するヒータ制御装置において、定着ヒータに直列に接続した突入電流抑制用の第１抵抗と第１リレー素子と電流検知素子及び前記第１抵抗に並列に接続した突入電流抑制用の第２抵抗と第２リレー素子とを備え、電源投入後に前記第１リレー素子がＯＮして前記定着ヒータ並びに第１抵抗が通電した際に電流検知素子に流れる電流を検知すると第２リレー素子がＯＮして第２抵抗に電流が流れることにより、通電時に発生する突入電流を１次、２次に制御する時に発生する突入電流を１次、２次に制御するヒータ制御装置が提案されている（特許文献１参照）。
【０００５】
また、従来、ヒータの温度が低く抵抗値が小さいときは、サーミスタを直列に挿入して交流電源を加え、ヒータの抵抗値が大きくなるとサーミスタを切り離し、直接交流電源を加えるヒータ電流制御装置が提案されている（特許文献２参照）。
【０００６】
【特許文献１】特開２００１−３１２１７９号公報
【特許文献２】特開平１０−１３３７５０号公報
【発明の開示】
【発明が解決しようとする課題】
【０００７】
しかしながら、上記従来技術にあっては、画像形成装置と周辺機を動作させるための電源がそれぞれ別に存在する構成の画像形成装置の過電流を適切に防止して、機器の誤動作を防止する上で、改良の必要があった。すなわち、周辺機のみを動作させる電源装置は、画像形成装置本体を動作させるための電源装置に比較して、過電流特性の電流値が小さいが、周辺機には、多くのモータ等の駆動源が存在するため、比較的大きな容量のコンデンサをいくつか搭載している。したがって、周辺機の起動時、または、コピー動作が発生して、周辺機が起動するときには、モータが一気に動作するため、小さな電源装置から大きな突入電流が流れて、電源の過電流特性によって電源が落ちる可能性があり、電源の出力に影響を与えたり、機械の誤動作を及ぼすことがある。
【０００８】
そこで、請求項１記載の発明は、フィニッシャ等の周辺機の備えている専用の周辺機用電源装置に、当該電源の出力部に直列に接続された抵抗と、当該抵抗に並列に接続されたスイッチ素子と、を設け、周辺機が起動を開始するタイミングで、当該スイッチ素子をオフさせて当該抵抗を通して電源の供給を行わせ、所定時間経過後に当該スイッチ素子をオンさせることにより、電源供給開始時の周辺機用電源装置から周辺機に突入電源が流れることを防止して、電源の過電流検知が働かないようにし、電源の出力電圧ドロップや画像形成装置の誤動作を防止して、安定して動作する画像形成装置を提供することを目的としている。
【０００９】
請求項２記載の発明は、スイッチ素子として、トライアックを用いることにより、画像形成装置からトライアックにゲート信号を出力してトライアックをオフさせて、周辺機に突入電源が流れることを確実に防止して、電源の過電流検知が働かないようにし、電源の出力電圧ドロップや画像形成装置の誤動作を防止して、より一層安定して動作する画像形成装置を提供することを目的としている。
【００１０】
請求項３記載の発明は、スイッチ素子として、リレーを用いることにより、画像形成装置からリレーにスイッチ信号を出力してリレーを瞬時にオフさせて、周辺機に突入電源が流れることをより一層確実に防止して、電源の過電流検知が働かないようにし、電源の出力電圧ドロップや画像形成装置の誤動作を防止して、より一層安定して動作する画像形成装置を提供することを目的としている。
【課題を解決するための手段】
【００１１】
請求項１記載の発明の画像形成装置は、フィニッシャ等の周辺機が接続され、当該周辺機が専用の周辺機用電源装置を備えている画像形成装置において、前記周辺機用電源装置が、電源の出力部に直列に接続された抵抗と、当該抵抗に並列に接続されたスイッチ素子と、を備え、前記周辺機が起動を開始するタイミングで、前記スイッチ素子をオフさせて前記抵抗を通して電源の供給を行わせ、所定時間経過後に当該スイッチ素子をオンさせることにより、上記目的を達成している。
【００１２】
この場合、例えば、請求項２に記載するように、前記スイッチ素子は、トライアックであってもよい。
【００１３】
また、例えば、請求項３に記載するように、前記スイッチ素子は、リレーであってもよい。
【発明の効果】
【００１４】
請求項１記載の発明の画像形成装置によれば、フィニッシャ等の周辺機の備えている専用の周辺機用電源装置に、当該電源の出力部に直列に接続された抵抗と、当該抵抗に並列に接続されたスイッチ素子と、を設け、周辺機が起動を開始するタイミングで、当該スイッチ素子をオフさせて当該抵抗を通して電源の供給を行わせ、所定時間経過後に当該スイッチ素子をオンさせるので、電源供給開始時の周辺機用電源装置から周辺機に突入電源が流れることを防止して、電源の過電流検知が働かないようにすることができ、電源の出力電圧ドロップや画像形成装置の誤動作を防止して、安定して動作させることができる。
【００１５】
請求項２記載の発明の画像形成装置によれば、スイッチ素子として、トライアックを用いているので、画像形成装置からトライアックにゲート信号を出力してトライアックをオフさせて、周辺機に突入電源が流れることを確実に防止して、電源の過電流検知が働かないようにすることができ、電源の出力電圧ドロップや画像形成装置の誤動作を防止して、より一層安定して動作させることができる。
【００１６】
請求項３記載の発明の画像形成装置によれば、スイッチ素子として、リレーを用いているので、画像形成装置からリレーにスイッチ信号を出力してリレーを瞬時にオフさせて、周辺機に突入電源が流れることをより一層確実に防止して、電源の過電流検知が働かないようにすることができ、電源の出力電圧ドロップや画像形成装置の誤動作を防止して、より一層安定して動作させることができる。
【発明を実施するための最良の形態】
【００１７】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１８】
図１〜図５は、本発明の画像形成装置の一実施例を示す図であり、図１は、本発明の画像形成装置の一実施例を適用した画像形成装置１及び周辺機１０の概略ブロック構成図である。
【００１９】
図１において、画像形成装置１は、複写装置、ファクシミリ装置、あるいは、プリンタ等であり、画像形成装置１には、オプションの周辺機１０が接続されている。周辺機１０としては、例えば、フィニッシャ、ＡＤＦ（Auto Document Feeder）、給紙装置等であり、周辺機１０としては、１台に限るものではなく、複数台が接続されることがある。
【００２０】
画像形成装置１は、画像形成装置１の本体用の電源装置２を備えており、電源装置２には、画像形成装置１の主電源のオン／オフを行うメイン電源スイッチ３を介して１００Ｖの商交流電源（ＡＣ電源）２０が供給される。
【００２１】
周辺機１０は、周辺機１０に専用の電源装置（周辺機用電源装置）１１を備えており、電源装置１１には、画像形成装置１のメイン電源スイッチ３を介して１００Ｖの商交流電源（ＡＣ電源）２０が供給される。
【００２２】
電源装置１１は、図２に示すように、ＤＣ−ＤＣコンバータ（ＤＤＣ）１２、抵抗１３、スイッチ素子１４及び図示しない整流回路等を備えており、ＤＣ−ＤＣコンバータ（ＤＤＣ）１２は、メイン電源スイッチ３を介して入力されたＡＣ電源が図示しない整流回路で整流された直流電源を必要な直流電圧に変換して出力する。
【００２３】
抵抗１３は、ＤＣ−ＤＣコンバータ１２と電源装置１１の出力端子（出力部）１５との間に接続され、ＤＣ−ＤＣコンバータ１２から突入電流が出力端子１５を通して周辺機１０に流れるのを防止する。
【００２４】
スイッチ素子１４は、抵抗１３と並列に接続されており、画像形成装置１からのスイッチ信号でオン／オフして、オフのときには、ＤＣ−ＤＣコンバータ１２からの出力電源を、抵抗１３を通して出力させ、オンのときには、ＤＣ−ＤＣコンバータ１２からの出力電源を、抵抗１３をバイパスして出力させる。このスイッチ素子１４としては、例えば、リレーが用いられる。
【００２５】
そして、画像形成装置１は、画像形成装置１の動作制御を行う制御回路等の必要な回路が搭載された制御板４を備えており、制御板４の制御回路は、画像形成装置１の主電源のオン／オフを行うメイン電源スイッチ３がオン／オフされると、当該メイン電源スイッチ３の操作内容を示すスイッチ信号を上記周辺機１０の電源装置１１に出力して、電源装置１１のスイッチ素子１４をオフ／オンさせる。また、制御板４は、タイマクロックを備えており、タイマクロックの計時に基づいてスイッチ信号のオン／オフを行う。
【００２６】
次に、本実施例の作用を説明する。本実施例の画像形成装置１は、画像形成装置１の本体用の電源装置２とオプションの周辺機１０に専用の電源装置１１を備えており、周辺機１０が起動する際に周辺機１０に流れる突入電流を、電源装置１１の電源出力に直列に接続された抵抗１３に並列に接続されたスイッチ素子１４をオン／オフさせて、電源装置１１の起動時の電源を抵抗１３を通して流すことで、防止している。
【００２７】
すなわち、画像形成装置１に接続される周辺機１０の電源装置１１には、ＤＣ−ＤＣコンバータ１２と出力端子１５との間に、ＤＣ／ＤＣコンバータ１２に直列にＤＣ／ＤＣコンバータ１３が接続されており、抵抗１３に並列にスイッチ素子１４が接続されている。
【００２８】
そして、画像形成装置１は、図３に示すように、メイン電源スイッチ３がオンされると（ステップＳ１０１）、制御板４は、周辺機１０にイニシャライズ開始信号を出力したかチェックして（ステップＳ１０２）、図１に矢印で示すように、イニシャライズ開始信号を周辺機１０に出力すると、周辺機１０にイニシャライズを開始させるとともに、周辺機１０の電源装置１１のスイッチ素子１４にスイッチ信号をオン出力して、制御板４の備えているスイッチ信号をオンさせているオン時間を計時するタイマクロックをスタートさせる（ステップＳ１０３）。このオン時間としては、例えば、数ｍｓが設定される。
【００２９】
スイッチ素子１４は、スイッチ信号が入力されると、オフして、ＤＣ／ＤＣコンバータ１２からの出力電源を抵抗１３を通して出力端子から周辺機１０に供給させ、大きな突入電流が周辺機１０、特に、周辺機１０のコンデンサに流れるのを防止する。
【００３０】
次に、制御板４は、タイマクロックがオン時間を計時するのを待って（ステップＳ１０４）、スイッチ素子１４に出力していたスイッチ信号をオフし、タイマクロックを停止（ストップ）させて、処理を終了する（ステップＳ１０５）。
【００３１】
スイッチ素子１４は、スイッチ信号がオフされると、オンして、ＤＣ／ＤＣコンバータ１２からの出力電源を抵抗１３をパスさせて出力端子から周辺機１０に供給させ、適切な電流を周辺機１０に供給する。
【００３２】
また、本実施例の画像形成装置１は、上述のようにメイン電源スイッチ３がオンされたときだけでなく、周辺機１０が独自に電源の供給を停止させた後再度電源の供給を再開する場合、例えば、周辺機１０がフィニッシャ、給紙装置等の開閉扉を備えている周辺機である場合、当該開閉扉が開かれると、電源装置１１からの電源の供給を停止し、当該開かれた開閉扉が閉じられると、電源装置１１から電源の供給を再開して、周辺機１０の使用を可能とするが、この電源の供給を再開する際の突入電流を防止している。
【００３３】
すなわち、画像形成装置１は、周辺機１０の開閉扉が開かれて、電源装置１１からの電源の供給が停止されると、図４に示すように、当該開かれた開閉扉が開かれたままであるか（周辺機１０がオープンか）をチェックし（ステップＳ２０１）、当該開閉扉が閉じられ、電源装置１１から電源の供給タイミングになると、図５に矢印で示すように、周辺機１０の電源装置１１のスイッチ素子１４にスイッチ信号をオン出力して、制御板４の備えているスイッチ信号をオンさせているオン時間を計時するタイマクロックをスタートさせる（ステップＳ２０２）。このオン時間としては、例えば、数ｍｓが設定される。また、図５に太い矢印で示すように、制御板４は、周辺機１０の開閉扉の開閉状態を、周辺機１０の当該開閉扉付近に設けられているドアオープン検知センサからドアオープン検知信号に基づいて検出する。
【００３４】
スイッチ素子１４は、スイッチ信号が入力されると、オフして、ＤＣ／ＤＣコンバータ１２からの出力電源を抵抗１３を通して出力端子から周辺機１０に供給させ、大きな突入電流が周辺機１０、特に、周辺機１０のコンデンサに流れるのを防止する。
【００３５】
次に、制御板４は、タイマクロックがオン時間を計時するのを待って（ステップＳ２０３）、スイッチ素子１４に出力していたスイッチ信号をオフし、タイマクロックを停止（ストップ）させて、処理を終了する（ステップＳ２０４）。
【００３６】
スイッチ素子１４は、スイッチ信号がオフされると、オンして、ＤＣ／ＤＣコンバータ１２からの出力電源を抵抗１３をパスさせて出力端子から周辺機１０に供給させ、適切な電流を周辺機１０に供給する。
【００３７】
このように、本実施例の画像形成装置１は、フィニッシャ等の周辺機１０の備えている専用の周辺機用の電源装置１１に、当該電源の出力端子１５に直列に接続された抵抗１３と、当該抵抗１３に並列に接続されたスイッチ素子１４と、を設け、周辺機１０が起動を開始するタイミングで、当該スイッチ素子１４をオフさせて当該抵抗１３を通して電源の供給を行わせ、所定時間経過後に当該スイッチ素子１４をオンさせている。
【００３８】
したがって、電源供給開始時の周辺機用の電源装置１１から周辺機１０に突入電源が流れることを防止して、電源装置１１の過電流検知が働かないようにすることができ、電源の出力電圧ドロップや画像形成装置１の誤動作を防止して、安定して動作させることができる。
【００３９】
また、本実施例の画像形成装置１は、周辺機１０の電源装置１１のスイッチ素子１４として、リレーを用いている。
【００４０】
したがって、画像形成装置１からリレーにスイッチ信号を出力してリレーを瞬時にオフさせて、周辺機１０に突入電源が流れることをより一層確実に防止して、電源の過電流検知が働かないようにすることができ、電源の出力電圧ドロップや画像形成装置１の誤動作を防止して、より一層安定して動作させることができる。
【００４１】
なお、上記説明では、スイッチ素子１４として、リレーが用いられる場合について説明したが、スイッチ素子１４としては、リレーに限るものではなく、例えば、トライアックを用いてもよい。
【００４２】
この場合、制御板４から上記スイッチ素子１４であるトライアックにゲート信号を出力することで、トライアックをオフ／オンさせて、突入電流が周辺機１０に流れるのを防止する。
【００４３】
このようにすると、画像形成装置１からスイッチ素子１４としてのトライアックにゲート信号を出力してトライアックをオフさせて、周辺機１０に突入電源が流れることを確実に防止して、電源の過電流検知が働かないようにすることができ、電源の出力電圧ドロップや画像形成装置１の誤動作を防止して、より一層安定して動作させることができる。
【００４４】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００４５】
画像形成装置と周辺機がそれぞれ独自の電源装置から電源供給される画像形成装置の当該周辺機への突入電流を確実に防止する画像形成装置に適用することができる。
【図面の簡単な説明】
【００４６】
【図１】本発明の画像形成装置の一実施例を適用した画像形成装置及び周辺機の概略ブロック構成図。
【図２】図１の周辺機の電源装置の要部回路図。
【図３】図１の画像形成装置によるメイン電源スイッチオン時の突入電流防止処理を示すフローチャート。
【図４】図１の画像形成装置による周辺機の開閉扉閉じ時の突入電流防止処理を示すフローチャート。
【図５】図４の突入電流防止処理での各信号の説明図。
【符号の説明】
【００４７】
１  画像形成装置
２  電源装置
３  メイン電源スイッチ
１０  周辺機
１１  電源装置
１２  ＤＣ−ＤＣコンバータ（ＤＤＣ）
１３  抵抗
１４  スイッチ素子
１５  出力端子
２０  商交流電源（ＡＣ電源）
【図１】
2005148667.tif 000003
【図２】
2005148667.tif 000004
【図３】
2005148667.tif 000005
【図４】
2005148667.tif 000006
【図５】
2005148667.tif 000007